(57)【要約】【課題】スライドレールに付いているロック機構のロックを容易に解除できるロック解除機能付スライドレールを提供すること。【解決手段】スライド動作をロックするロック機構を具備するスライドレール１０において、ロック機構１９のロックを解除するロック解除プレート２０を有し、該ロック解除プレート２０は一端にロック用プレート２１の前端に形成された傾斜面２１ｂに係合する傾斜面２０ａが形成され、他端が支持レール１１から突出し、該突出部を押圧することにより、ロック解除プレート２０の傾斜面２０ａをロック用プレート２１の傾斜面２１ｂが摺動して該ロック用プレート２１が変位し、該ロック用プレート２１の係合凹部２１ａと中間レール１２の係合突起１２ａの嵌め合わせが解除される。【選択図】　　　図４
2004057567.tif 000002
【特許請求の範囲】
【請求項１】
固定レールと、支持レールと、該固定レールと支持レール間に多数のボールを保持しながら配置される保持器とからなるスライドレールと、
前記固定レールの長手方向端部に設けられる係合突起と、端部が前記支持レールに固定されると共に前記固定レール側に弾性力により付勢されているロック用プレートを有し、前記係合突起と前記ロック用プレートに設けられた係合凹部を嵌め合うことにより、該スライドレールのスライド動作をロックするロック機構を具備するスライドレールにおいて、
前記ロック機構のロックを解除するロック解除プレートを有し、該ロック解除プレートは一端に前記ロック用プレートの前端に形成された傾斜面に係合する傾斜面が形成され、他端が前記支持レールから突出し、該突出部を押圧することにより、前記ロック解除プレートの傾斜面が前記ロック用プレートの傾斜面を摺動して該ロック用プレートを変位させ、前記ロック機構の係合凹部と係合突起の嵌め合わせを解除することを特徴とするロック解除機能付スライドレール。
【請求項２】
請求項１に記載のロック解除機能付スライドレールにおいて、前記固定レールと支持レールの間に中間レールを具備し、前記係合突起は該中間レールの長手方向端部に設け、前記ロック用プレートは該中間レール側に弾性力により付勢されていることを特徴とするロック解除機能付スライドレール。
【請求項３】
請求項１又は２に記載のロック解除機能付スライドレールにおいて、
前記ロック解除プレートの前記支持レールから突出した他端を押圧するロック解除レバーが設けられていることを特徴とするロック解除機能付スライドレール。
【発明の詳細な説明】
【０００１】
【発明の属する技術分野】
本発明は、引出し、機器等を本体側から出し入れするのに用いられるスライドレールに関し、特に引出し、機器等を所定の位置（全引き位置）に引き出しその位置でロックするロック機構を有するロック機構付きのスライドレールにおいて、該ロックを解除するロック解除機能付スライドレールに関するものである。
【０００２】
【従来の技術】
従来、家具の引出し等を家具本体から出し入れするための案内として、スライドレールが用いられている。また、引出しが完全に引出された状態で不意の引出しの引込みを防止するために、スライドレールの動作をロックするためのロック機構が組み込まれたスライドレールも知られている。このスライドレールは、家具本体に固定される固定レールと、引出しに固定される支持レールと、該固定レールと支持レール間に多数のボールを保持しながら配置される保持器とから構成されている。そしてロック機構は固定レールに設けられた係合突起と、支持レールに設けられ固定レールに弾性力により付勢されているロック用プレートを具備し、該ロック用プレートの先端傾斜面部が固定レールに設けられた係合突起に乗り上げ、ロック用プレートに設けられた係合凹部に嵌り込むことにより、支持レールと固定レールを互いに固定している。さらに、このタイプのロック機構は、ロックを解除した後に引出しを引出すことで、支持レールと共に引出しを引き抜くことができる。
【０００３】
上記従来構成のロック機構付スライドレールにおいて、ロック機構のロックを解除する際には、例えば引出しや機器の奥まで手を差し入れてロックプレートを押し込みロックを解除する必要があるため、解除作業が行い難かったり、作業者の手や衣服が汚れるといった問題があった。特にキッチンの最下部に設けられた引出しに用いられている場合においては、より一層解除作業が困難であった。
【０００４】
【発明が解決しようとする課題】
本発明は上述の点に鑑みてなされたもので、スライドレールに付いているロック機構のロックを容易に解除できるロック解除機能付スライドレールを提供することを目的とする。
【０００５】
【課題を解決するための手段】
上記課題を解決するため請求項１に記載の発明は、固定レールと、支持レールと、該固定レールと支持レール間に多数のボールを保持しながら配置される保持器とからなるスライドレールと、固定レールの長手方向端部に設けられる係合突起と、端部が支持レールに固定されると共に固定レール側に弾性力により付勢されているロック用プレートを有し、係合突起とロック用プレートに設けられた係合凹部を嵌め合うことにより、該スライドレールのスライド動作をロックするロック機構を具備するスライドレールにおいて、ロック機構のロックを解除するロック解除プレートを有し、該ロック解除プレートは一端にロック用プレートの前端に形成された傾斜面に係合する傾斜面が形成され、他端が支持レールから突出し、該突出部を押圧することにより、ロック解除プレートの傾斜面がロック用プレートの傾斜面を摺動して該ロック用プレートを変位させ、ロック機構の係合凹部と係合突起の嵌め合わせを解除することを特徴とする。
【０００６】
上記のように一端にロック用プレートの前端に形成された傾斜面に係合する傾斜面が設けられ他端が支持レールから突出するロック解除プレートを有するので、該ロック解除プレートの支持レールから突出する部分を押圧するだけで、ロック用プレートが変位する。このロック用プレートの変位により、ロック機構のロック、係合突起と係合凹部の嵌め合わせが容易に解除される。
【０００７】
請求項２に記載の発明は、請求項１に記載のロック解除機能付スライドレールにおいて、固定レールと支持レールの間に中間レールを具備し、係合突起は該中間レールの長手方向端部に設け、ロック用プレートは該中間レール側に弾性力により付勢されていることを特徴とする。
【０００８】
請求項３に記載の発明は、請求項１又は２に記載のロック解除機能付スライドレールにおいて、ロック解除プレートの支持レールから突出した他端を押圧するロック解除レバーが設けられていることを特徴とする。
【０００９】
上記のようにロック解除プレートの支持レールから突出し他端を押圧するロック解除レバーを設けることにより、該ロック解除レバーを操作するという簡単な操作で、ロック機構のロックを解除することができる。
【００１０】
【発明の実施の形態】
以下、本発明の実施の形態例を図面に基づいて説明する。図１及び図２は本発明に係るロック解除機能付スライドレールの構成を示す図で、図１は正面図、図２は横断面図である。図示するように、スライドレール１０は、支持レール１１と、該支持レール１１に対向し第１保持器１５に多数のボール１４を介して配置される中間レール１２と、該中間レール１２に対向して第２保持器１７に保持された多数のボール１６を介して配置される固定レール１３とから構成される。
【００１１】
例えば、固定レール１３を図示しない家具本体側に固定し、支持レール１１を図示しない引出しの両側に固定した場合、引出しを引出すことによって、矢印Ａ方向に支持レール１１が引出しと共に引出され、それに伴って中間レール１２が引出される。支持レール１１と中間レール１２が完全に引出されると、各レールが引出された時点で各ロック機構１８、１９が働き矢印Ｂ方向の移動をロックする。
【００１２】
中間レール１２の不意の引込みを防止するためのロック機構１８は回転片と、固定レール１３に設けられた突設部（図示せず）と係合することによって機能する。そして支持レール１１が引込まれる際に支持レール１１のボール転走溝が設けられている側壁に規制されることによってロックが解除される。
【００１３】
図３及び図４は第２ロック機構１９及びその解除機構の構成を示す図で、図３は第２ロック機構１９が作動した状態の支持レール１１、ロック用プレート２１及びロック解除プレート２０の関係を示す図で、図４（ａ）乃至（ｃ）は第２ロック機構１９の構成とその動作を示す図である。
【００１４】
ロック解除プレート２０は支持レール１１にスライド自在に取り付けられ、コイルバネ２２で矢印Ｃ方向に付勢され、その後端は支持レール１１の端部から若干突出している。ロック用プレート２１は弾性を有する金属板等からなり、その一端部（後端部）は溶接等により、支持レール１１に固着され、先端部は中間レール１２の内側面側に弾性力により付勢されている。ロック用プレート２１の先端部には係合凹部（係合開口）２１ａが設けられている。また、中間レール１２の長手方向端部には該係合凹部２１ａに係合（嵌合）する係合突起１２ａが設けられている。
【００１５】
ロック用プレート２１の先端には傾斜面２１ｂが形成され、ロック解除プレート２０の先端には該ロック用プレート２１の傾斜面２１ｂに当接する傾斜面２０ａが形成されている。支持レール１１を中間レール１２に対して矢印Ａ方向にスライドさせると、図４（ａ）に達し、更にスライドさせるとロック用プレート２１の傾斜面２１ｂが中間レール１２の係合突起１２ａに押されて支持レール１１の側に変位する。そして図４（ｂ）に示す位置に達すると、ロック用プレート２１が矢印Ｄ方向に移動し、その係合凹部２１ａが中間レール１２の係合突起１２ａに係合（嵌合）し、支持レール１１は中間レール１２にロックされる。
【００１６】
図４（ｂ）に示すように支持レール１１は中間レール１２にロックされた状態で、ロック用プレート２１を図４（ｃ）に示すように矢印Ｆ方向にスライドさせると、ロック用プレート２１の傾斜面２１ｂにロック解除プレート２０の傾斜面２０ａが当接し、ロック用プレート２１の傾斜面２１ｂは摺動し、矢印Ｅに示すように支持レール１１側に移動（変位）し、係合凹部２１ａと係合突起１２ａの係合が解除され、中間レール１２に対する支持レール１１のロックは解除される。そして、そのまま引出しを更に引出すことで、家具本体から引出しが抜き出される。
【００１７】
図５（ａ）乃至（ｃ）は第１ロック機構１８の構成とその動作を示す図である。第１ロック機構１８はロック金具２５を具備し、該ロック金具２５は後端が中間レール１２の端部に支持軸２４で回動自在に取り付けられている。固定レール１３の中間レール１２に対向する面には、両側部に傾斜面２３ａを有する案内突起部２３が設けられている。
【００１８】
ロック金具２５はその先端部２５ａが断面コの字状に形成されており、図５（ａ）の状態から中間レール１２を矢印Ａ方向にスライドさせると、断面コの字状の内側面が案内突起部２３の傾斜面２３ａに沿って移動し、ロック金具２５は支持軸２４を中心に反時計方向に回動する。そして図５（ｂ）に示す位置では、略水平となる。更に中間レール１２を矢印Ａ方向にスライドさせロック金具２５の先端面２５ｂが案内突起部２３の後端面２３ｂを越えると、図５（ｃ）に示すように支持軸２４を中心に時計方向に回動する。これにより中間レール１２を矢印Ｂ方向にスライドさせようとしても、ロック金具２５の先端面２５ｂが案内突起部２３の後端面２３ｂに当接し、中間レール１２の矢印Ｂ方向の移動は阻止（ロック）される。
【００１９】
上記第１ロック機構１８のロックは、図２に示すように断面略コの字状に形成された支持レール１１を矢印Ｂ方向にスライドさせることにより、該支持レール１１の内側面にロック金具２５の両側部に形成された傾斜面２５ｃが当接し、該ロック金具２５が支持軸２４を中心に反時計方向に回動するから、中間レール１２のロックも自動的に解除され、支持レール１１及び中間レール１２は共に矢印Ｂ方向にスライドし、固定レール１３内に収容される。
【００２０】
図１に示すように、固定レール１３の端部には該端部を折り曲げたストッパー１３ａが形成されており、中間レール１２の端部にはこのストッパー１３ａに当接するゴムクッション２６が固着されている。このゴムクッション２６を介して中間レール１２の端部が固定レール１３のストッパー１３ａに当接するので、当接時の衝撃力は緩和される。更にゴムクッション２６に支持レール１１の端部が当接するから、支持レール１１の当接時の衝撃力は緩和される。
【００２１】
上記構成のロック解除機能付スライドレールにおいて、図１に示すように、支持レール１１及び中間レール１２を引き出し、第１ロック機構１８及び第２ロック機構１９が動作した状態（ロック状態）で、支持レール１１の端部から突出したロック解除プレート２０の端部をコイルバネ２２の弾性力に抗して、押圧（図４（ｃ）の矢印Ｆ方向に押圧）すると、上記のように第２ロック機構１９のロックが解除され、支持レール１１は矢印Ｂ方向にスライドできるようになる。そして支持レール１１の矢印Ｂ方向へのスライドにより、上記のように第１ロック機構１８のロックも解除され、中間レール１２も矢印Ｂ方向にスライドできるようになる。
【００２２】
図６は上記構成のロック解除機能付スライドレールを引出しに用いた例の一部を示す図である。引出し３０の両側部にロック解除機能付スライドレールの支持レール１１を固定して、引出し３０を本体側から引き出し可能及び収納可能に取り付ける。引出し３０の前面パネル３１の内面に対向して位置するロック解除プレート２０の端部を押圧するロック解除レバー３３を設ける。該ロック解除レバー３３を矢印Ｇに示すように、前面パネル３１の内面側に手で引くことにより、ロック解除レバー３３は支点３２を中心に回動し、ロック解除プレート２０の後端部２０ｂを矢印Ｆ方向に押圧する。これにより、図４で説明したように、第２ロック機構のロックが解除され、引出し３０を本体側に収容できるようになる。
【００２３】
なお、上記例ではロック解除機能付スライドレールを引出しに用いた例を示したが、引出しに限定されるものではなく、機器等を本体側から出し入れするためのスライド機構に利用することが可能である。
【００２４】
また、上記実施の形態例では、スライドレール１０は支持レール１１と、中間レール１２と、固定レール１３を具備する構成となっているが、スライドレール１０は支持レール１１と固定レール１３のみで構成してもよい。この場合は、図示は省略するが、第２ロック機構１９の係合突起は固定レール１３の長手方向端部に設けられ、ロック用プレート２１はその端部が支持レール１１に固定されると共に固定レール１３側に弾性力により付勢され、固定レール１３の係合突起とロック用プレート２１に設けられた係合凹部を嵌め合うことにより、該スライドレールのスライド動作をロックする。第２ロック機構１９の係合突起は支持レール１１の端部から突出し、ロック解除プレート２０を押圧することにより、ロック解除プレート２０の傾斜面２０ａがロック用プレート２１の傾斜面２１ｂを摺動して該ロック用プレート２１を変位させ、第２ロック機構１９の係合凹部と係合突起の嵌め合わせを解除することになる。
【００２５】
【発明の効果】
以上説明したように各請求項に記載の発明によれば、下記のような優れた効果が得られる。
【００２６】
請求項１又は２に記載の発明によれば、一端にロック用プレートの前端に形成された傾斜面に係合する傾斜面が設けられ他端が支持レールから突出するロック解除プレートを有するので、該ロック解除プレートの支持レールから突出する部分を押圧するだけで、ロック機構のロックを容易に解除できるロック解除機能付スライドレールを提供できる。
【００２７】
請求項３に記載の発明によれば、ロック解除プレートの支持レールから突出し他端を押圧するロック解除レバーを設けることにより、該ロック解除レバーを操作するという簡単な操作で、ロック機構のロックを解除することができるロック解除機能付スライドレールを提供できる。
【図面の簡単な説明】
【図１】本発明に係るロック解除機能付スライドレールの構成を示す正面図である。
【図２】本発明に係るロック解除機能付スライドレールの構成を示す横断面図である。
【図３】本発明に係るロック解除機能付スライドレールの第２ロック機構の構成を示す図である。
【図４】本発明に係るロック解除機能付スライドレールの第２ロック機構の構成及び動作を示す図である。
【図５】本発明に係るロック解除機能付スライドレールの第１ロック機構の構成及び動作を示す図である。
【図６】本発明に係るロック解除機能付スライドレールを引出しに用いた例の一部を示す図である。
【符号の説明】
１０　　　　　　スライドレール
１１　　　　　　支持レール
１２　　　　　　中間レール
１３　　　　　　固定レール
１４　　　　　　ボール
１５　　　　　　第１保持器
１６　　　　　　ボール
１７　　　　　　第２保持器
１８　　　　　　第１ロック機構
１９　　　　　　第２ロック機構
２０　　　　　　ロック解除プレート
２１　　　　　　ロック用プレート
２２　　　　　　コイルバネ
２３　　　　　　案内突起部
２４　　　　　　支持軸
２５　　　　　　ロック金具
２６　　　　　　ゴムクッション
３０　　　　　　引出し
３１　　　　　　前面パネル
３２　　　　　　支点
３３　　　　　　ロック解除レバー
【図１】
2004057567.tif 000003
【図２】
2004057567.tif 000004
【図３】
2004057567.tif 000005
【図４】
2004057567.tif 000006
【図５】
2004057567.tif 000007
【図６】
2004057567.tif 000008